(57)【要約】【課題】トランス用ボビンの組み立てにおける工数を削減可能なトランスおよびトランス用ボビンを提供する。【解決手段】一次巻線４０と二次巻線５０とを備えるトランス１０であって、磁性材料から形成されるコア２０と、コア２０を挿入させる挿通孔３２を備えると共に、一次巻線４０が配置される複数の一次収納部３４を備えると共に、二次巻線５０が配置される複数の二次収納部３３を備えるトランス用ボビン３０と、を具備し、複数の一次収納部３４と複数の二次収納部３３とは、一体的に設けられている。【選択図】図１
2014229807.tif 000002
【特許請求の範囲】
【請求項１】
一次巻線と二次巻線とを備えるトランスであって、
磁性材料から形成されるコアと、
前記コアを挿入させる挿通孔を備えると共に、前記一次巻線が配置される複数の一次収納部を備えると共に、前記二次巻線が配置される複数の二次収納部を備えるトランス用ボビンと、
を具備し、
複数の前記一次収納部と複数の前記二次収納部とは、一体的に設けられている、
ことを特徴とするトランス。
【請求項２】
請求項１記載のトランスであって、
前記トランス用ボビンは、クランク形状の断面となる本体を有していて、
前記本体のうち外周側から前記挿通孔側に向かい窪む部分は、一次巻線が配置される前記一次収納部となっていて、
前記一次巻線は、断面が円形状の絶縁電線が複数の前記一次収納部に跨るように、当該一次収納部の外周側から巻回されることで形成されていて、
前記本体のうち前記挿通孔から外側に向かい膨らむ部分は、前記二次収納部となっていて、当該二次収納部は、その外周側が開口部分を除いて外周壁部によって覆われていて、
前記二次巻線は、平角線のエッジワイズ巻きにより形成されていて、当該二次巻線は前記開口部分から前記二次収納部に内挿されることで配置されている、
ことを特徴とするトランス。
【請求項３】
請求項２記載のトランスであって、
前記トランス用ボビンには、前記絶縁電線を隣り合う前記一次収納部に巻回する際のガイドとなるガイド突起が設けられていて、このガイド突起は、前記外周壁部から外方側に突出するように設けられている、
ことを特徴とするトランス。
【請求項４】
請求項１から３のいずれか１項に記載のトランスであって、
前記外周壁部には、前記二次収納部に収納されている前記二次巻線を外部と挿通させるための開口部が設けられている、
ことを特徴とするトランス。
【請求項５】
請求項１から４のいずれか１項に記載のトランスであって、
前記トランス用ボビンには、前記コアが取り付けられる際の位置決めとして機能する位置決め手段が設けられている、
ことを特徴とするトランス。
【請求項６】
一次巻線と二次巻線とを備えるトランスに用いられるトランス用ボビンであって、
このトランス用ボビンは、
コアを挿入させる挿通孔を備えると共に、前記一次巻線が配置される複数の一次収納部を備えると共に、前記二次巻線が配置される複数の二次収納部を備え、
複数の前記一次収納部と複数の前記二次収納部とは、一体的に設けられている、
ことを特徴とするトランス用ボビン。
【発明の詳細な説明】
【技術分野】
【０００１】
本発明は、トランスおよびトランス用ボビンに関する。
【背景技術】
【０００２】
トランスには、平角線をエッジワイズ巻きにて形成したコイル（二次巻線）と、エナメル線等の絶縁電線の巻回によるコイル（一次巻線）を組み合わせたタイプが存在している。そのようなタイプのトランスには、たとえば特許文献１に示すように、磁気結合を良好とするために、絶縁電線を２分割して一次巻線を構成し、さらに平角線の巻回による２つの二次巻線を積層した積層構造を採用したものがある。
【先行技術文献】
【特許文献】
【０００３】
【特許文献１】特開２００３−１７３３４号公報
【発明の概要】
【発明が解決しようとする課題】
【０００４】
ところで、特許文献１に開示の構成では、ボビンは、エッジワイズ巻きの二次巻線毎に、および一次巻線の分割部位毎に分割されている。そのため、分割されたボビンを組み立てる作業が必要となる。また、ボビンの組み立てに際しては、それぞれのボビンのガタ付きや製造バラツキ等により、組み立ての際の精度を良好とすることは難しい。
【０００５】
本発明は、かかる問題に鑑みてなされたものであり、その目的とするところは、トランス用ボビンの組み立てにおける工数を削減可能なトランスおよびトランス用ボビンを提供しよう、とするものである。また、トランス用ボビンの組み立てにおいて精度が低下するのを抑えることが可能なトランスおよびトランス用ボビンを提供できれば、より好ましい。
【課題を解決するための手段】
【０００６】
上記課題を解決するために、本発明のトランスの一側面は、一次巻線と二次巻線とを備えるトランスであって、磁性材料から形成されるコアと、コアを挿入させる挿通孔を備えると共に、一次巻線が配置される複数の一次収納部を備えると共に、二次巻線が配置される複数の二次収納部を備えるトランス用ボビンと、を具備し、複数の一次収納部と複数の二次収納部とは、一体的に設けられている、ことを特徴としている。
【０００７】
また、本発明のトランスの他の側面は、上述の発明に加えて更に、トランス用ボビンは、クランク形状の断面となる本体を有していて、本体のうち外周側から挿通孔側に向かい窪む部分は、一次巻線が配置される一次収納部となっていて、一次巻線は、断面が円形状の絶縁電線が複数の一次収納部に跨るように、当該一次収納部の外周側から巻回されることで形成されていて、本体のうち挿通孔から外側に向かい膨らむ部分は、二次収納部となっていて、当該二次収納部は、その外周側が開口部分を除いて外周壁部によって覆われていて、二次巻線は、平角線のエッジワイズ巻きにより形成されていて、当該二次巻線は開口部分から二次収納部に内挿されることで配置されている、ことが好ましい。
【０００８】
さらに、本発明のトランスの他の側面は、上述の発明に加えて更に、トランス用ボビンには、絶縁電線を隣り合う一次収納部に巻回する際のガイドとなるガイド突起が設けられていて、このガイド突起は、外周壁部から外方側に突出するように設けられている、ことが好ましい。
【０００９】
また、本発明のトランスの他の側面は、上述の発明に加えて更に、外周壁部には、二次収納部に収納されている二次巻線を外部と挿通させるための開口部が設けられている、ことが好ましい。
【００１０】
さらに、本発明のトランスの他の側面は、上述の発明に加えて更に、トランス用ボビンには、コアが取り付けられる際の位置決めとして機能する位置決め手段が設けられている、ことが好ましい。
【００１１】
また、別の本発明のトランス用部品の一側面は、一次巻線と二次巻線とを備えるトランスに用いられるトランス用ボビンであって、このトランス用ボビンは、コアを挿入させる挿通孔を備えると共に、一次巻線が配置される複数の一次収納部を備えると共に、二次巻線が配置される複数の二次収納部を備え、複数の一次収納部と複数の二次収納部とは、一体的に設けられている、ことを特徴としている。
【発明の効果】
【００１２】
本発明によると、トランスおよびトランス用ボビンの組み立てにおける工数を削減可能となる。
【図面の簡単な説明】
【００１３】
【図１】本発明の一実施の形態に係るトランスの全体構成を示す斜視図である。
【図２】図１のトランスの全体構成を示す側面断面図である。
【図３】図１のトランスにおけるコアの構成を示す斜視図である。
【図４】図１のトランスにおけるボビンの構成を示す斜視図であり、一次巻線および二次巻線が取り付けられた状態を示す図である。
【図５】図１のトランスにおけるボビンを下方側から見た構成を示す斜視図である。
【発明を実施するための形態】
【００１４】
以下、本発明の一実施の形態に係る、トランス１０について、図面を参照しながら説明する。
【００１５】
なお、以下の説明においては、平角線５１の端末５２が位置する側を下側（Ｚ２側）、それとは逆側を上側（Ｚ１側）とする。また、二次収納部３３と一次収納部３４とが並ぶ方向（挿通孔３２が延伸する方向）をＸ方向とし、ボビン３０において上方位置決め部３８が位置する側をＸ２側、それとは逆側をＸ１側とする。また、Ｘ方向およびＺ方向に直交する方向であるボビン３０の幅方向をＹ方向とし、図１において右側をＹ１側、それとは逆の左側をＹ２側とする。
【００１６】
図１は、トランス１０の全体構成を示す斜視図である。図２は、トランス１０の全体構成を示す側面断面図である。図１および図２に示すように、トランス１０は、コア２０と、ボビン３０と、一次巻線４０と、二次巻線５０と、を主要な構成要素としている。
【００１７】
図１および図２に示すように、トランス１０は、一対のコア２０を備えていて、これら一対のコア２０が、互いに相対する状態でボビン３０に取り付けられている。図３は、コア２０の構成を示す斜視図である。図３に示すように、コア２０は、いわゆるＥＲコアであり、底部２１と、その底部２１の長手方向のそれぞれの端部から立設している一対の周壁２２と、底部２１の長手方向の中央から立設している柱脚部２３とを有している。なお、周壁２２と柱脚部２３とが底部２１から突出している高さは、同程度に設けられている。柱脚部２３は後述するボビン３０の挿通孔３２に入り込み、周壁２２と柱脚部２３との間の空間には挿通孔３２を囲むボビン３０が入り込む。
【００１８】
また、コア２０には、直線縁部２１ａと凹状縁部２１ｂとが設けられている。直線縁部２１ａは、底部２１の長手方向に沿う縁部のうち直線状に設けられている部分である。この直線縁部２１ａには、後述する台座部３７の上面と対向して設けられている。また、凹状縁部２１ｂは、底部２１のうち直線縁部２１ａとは反対側の縁部であり、底部２１の長手方向の中央に向かうにつれて柱脚部２３に向かうように底部２１を凹状に切り欠いた形状に設けられている。この凹状縁部２１ｂには、後述する上方位置決め部３８の下方側と対向して設けられている。
【００１９】
なお、コア２０は、その材質を磁性材としているが、磁性材としては、例えば、ニッケル系のフェライトまたはマンガン系のフェライト等の種々のフェライト、パーマロイ、センダスト等、各種の磁性材料および各種の磁性材料の混合物を用いることが可能である。
【００２０】
次に、ボビン３０（トランス用ボビンに対応）について説明する。ボビン３０は、電気的な絶縁性を有する樹脂を材質として形成されている。図４は、ボビン３０の構成を示す斜視図であり、一次巻線４０および二次巻線５０が取り付けられた状態を示す図である。図５は、ボビン３０を下方側から見た構成を示す斜視図である。
【００２１】
図２、図４および図５に示すように、ボビン３０は、Ｘ方向に延伸すると共に柱脚部２３が入り込む挿通孔３２を備えていて、この挿通孔３２を囲むようにボビン３０の本体３１が設けられている。また、ボビン３０は、複数の二次収納部３３（本実施の形態では４つ）と一次収納部３４（本実施の形態では３つ）とが一体的に設けられている。
【００２２】
図２に示すように、ボビン３０の本体３１は、挿通孔３２に対して近接している部分と離れている部分とが交互に存在するようなクランク形状の断面を有している。かかるクランク形状の本体３１のうち、挿通孔３２から外側に向かい膨らむ部分は、二次巻線５０を収納する二次収納部３３となっている。二次収納部３３は、後述する一次収納部３４と壁部３１ａを隔てて設けられている。また、二次収納部３３は、挿通孔３２と連通しているが、その二次収納部３３の下方側（Ｚ２側）は開口して設けられている。そのため、二次収納部３３の下方の開口側から二次巻線５０を差し込むことを可能としている。
【００２３】
また、上述したクランク形状の本体３１のうち、挿通孔３２側に向かい窪む部分は、一次巻線４０が配置される一次収納部３４となっている。そのため、一次収納部３４は、二次収納部３３に隣接して設けられている。本実施の形態では、一次収納部３４の両隣に二次収納部３３が設けられているが、一次収納部３４の片側の隣のみに一次収納部３４が設けられる構成を採用しても良い。一次収納部３４は、上述した壁部３１ａと、挿通孔３２を形作る内周壁部３１ｂとによって囲まれているため、一次収納部３４は、外側に開放して設けられていて、図示を省略する巻線機によって絶縁電線４１（エナメル線等）を巻回することを可能としている。また、かかる絶縁電線４１の巻回により、一次収納部３４に一次巻線４０を配置することを可能としている。なお、内周壁部３１ｂは、挿通孔３２を全周に亘って覆うような円筒形状をなしている。
【００２４】
図２および図３に示すように、ボビン３０には、ガイド突起３５が設けられている。ガイド突起３５は、絶縁電線４１をガイドするための突起である。すなわち、巻線機を用いて絶縁電線４１を一次収納部３４に巻回させて、次に隣の一次収納部３４に絶縁電線４１を巻回させる場合、このガイド突起３５の外周に絶縁電線４１が位置する。そして、ガイド突起３５の外周に沿って絶縁電線４１を曲げる（湾曲させる）ことにより、絶縁電線４１の位置ずれを防ぐことができ、隣の一次収納部３４に絶縁電線４１を移行させて、良好な巻線を行うことを可能としている。本実施の形態では、ガイド突起３５は、二次収納部３３のうち上方側（Ｚ１側）の外周壁部３１ｃに設けられていて、この外周壁部３１ｃから外方側に突出するように設けられている。
【００２５】
なお、本実施の形態では、ガイド突起３５は、円柱状に設けられている。また、ガイド突起３５は、中央側に位置する２つの二次収納部３３の外周壁部３１ｃに２つずつ（合計４つ）設けられている。それにより、絶縁電線４１の一端側と他端側とが互いに接触しない状態で、一次収納部３４に絶縁電線４１を巻回させることを可能としている。しかしながら、ガイド突起３５は、幾つ設けられていても良い。
【００２６】
また、図４に示すように、本体３１の上方側には、開口部３６が設けられている。開口部３６は、二次収納部３３の内部と外方とを連通させており、かかる開口部３６を介して二次巻線５０の一部分が外部から視認可能な状態となっている。また、かかる開口部３６の存在により、二次巻線５０で発生した熱を外部に逃がすことを可能としている。なお、本実施の形態では、開口部３６は、ガイド突起３５が設けられる部位を挟むように、それぞれの二次収納部３３に一対ずつ設けられている。しかしながら、本体３１において開口部３６を設ける個数は、幾つであっても良い。
【００２７】
また、図４に示すように、ボビン３０には、台座部３７が設けられている。台座部３７は、ボビン３０に取り付けられるコア２０の下方側（Ｚ２側）の位置決めをするものである。すなわち、台座部３７の上面は、直線縁部２１ａと対向して設けられ、それによってコア２０が下方側（Ｚ２側）に移動するのが規制される。なお、台座部３７は、位置決め手段に対応する。
【００２８】
また、ボビン３０には、上方位置決め部３８が設けられている。上方位置決め部３８は、コア２０の上方側（Ｚ１側）の位置決めをするものである。かかる上方位置決め部３８の存在により、コア２０が上方側（Ｚ１側）に移動するのが規制される。なお、この上方位置決め部３８は、位置決め手段に対応する。
【００２９】
図４に示すように、上方位置決め部３８は、正面側（Ｘ２側）が開放した箱形状に設けられていて、下方側（Ｚ２側）が、上述した凹状縁部２１ｂに対応して、幅方向（Ｙ方向）の中央側に向かうにつれて下方に向かい突出しているが、幅方向（Ｙ方向）の中央側では柱脚部２３の外周に倣うように湾曲している。なお、上方位置決め部３８の上方側には、絶縁電線４１が挿通可能な貫通孔３８ａが設けられている。
【００３０】
図５に示すように、ボビン３０の二次収納部３３の下端側のうち、中央側の２つは、端部側の２つよりも上方に位置している。そのため、基板への実装時においては、中央側の二次収納部３３の下端は、基板との間でスペースを形成可能となっている。
【００３１】
また、上述したように、一次巻線４０は、断面が円形である絶縁電線４１を一次収納部３４に巻回することによって形成される。本実施の形態では、１本の絶縁電線４１が３つの一次収納部３４に跨るように巻回されている。そのため、一次巻線４０は、３つの一次収納部３４に跨って巻回されている部分を指すものとするが、それぞれの一次巻線４０が独立したものが３つ存在するものとしても良い。
【００３２】
また、二次巻線５０は、本実施の形態では、平角線５１をエッジワイズ巻きで巻回することで形成されている。そして、二次巻線５０は、それぞれの二次収納部３３の開口から挿入されていて、当該二次巻線５０の端末５２が開口から突出する状態としている。
【００３３】
＜製造方法について＞
以上のような構成のトランス１０を製造する方法について、以下に説明する。まず、ボビン３０を樹脂の射出成形によって形成する。かかる射出成形により、二次収納部３３と一次収納部３４とが一体的に設けられているボビン３０が形成される。次に、巻線機を用いて、絶縁電線４１を一次収納部３４に巻回させる。このとき、１本の絶縁電線４１によって、３つの一次収納部３４に巻回部分が形成され、全体として１つの一次巻線４０を構成する。
【００３４】
なお、巻線機を用いて絶縁電線４１の巻線を行う場合には、貫通孔３８ａに絶縁電線４１の端末を挿入し、絶縁電線４１の端末が外部の電源回路等に接続できる状態とする。
【００３５】
次に、それぞれの二次収納部３３の内部空間に二次巻線５０を挿入する。その後に、ボビン３０の挿通孔３２にコア２０を挿入する。このとき、二次巻線５０の中心孔に挿通孔３２が挿通される。またこのとき、図２に示すように、それぞれの柱脚部２３が互いに向かい合う（または当接する）状態で、それぞれのコア２０を挿通孔３２に挿入する。なお、柱脚部２３同士が当接する場合、柱脚部２３同士は直接当接しても良いが、別の部材を介して間接的に当接しても良い。
【００３６】
＜効果について＞
以上のような構成のトランス１０によると、ボビン３０は、エッジワイズ巻きの二次巻線５０毎、または絶縁電線４１毎に、分割された構成を採用しておらず、複数の二次収納部３３と複数の一次収納部３４とが一体的に設けられている。このため、従来のように、分割されたボビンを組み立てる作業が不要となり、その組み立てにおける工数を削減可能となる。
【００３７】
また、ボビン３０の組み立てが不要な一体構造のため、従来のような組み立てにおいて生じていた、ボビン３０を構成する各パーツ間のガタ付きや、各パーツの製造バラ付き等を考慮する必要がなくなる。そのため、従来のようなボビン３０を組み立てる際に、組み立てにおいて、組み付け精度が低下するのを抑えることが可能となる。
【００３８】
さらに、本実施の形態では、一次収納部３４に一次巻線４０を配置し、二次収納部３３に二次巻線５０を配置することにより、一次巻線４０と二次巻線５０とがサンドイッチされた構造を実現可能となる。それにより、一次巻線４０と二次巻線５０との磁気結合を良好にすることが可能となる。
【００３９】
また、本実施の形態では、ボビン３０は、クランク形状の断面となる本体３１を有している。しかも、本体３１のうち外周側から挿通孔３２側に向かい窪む部分は、一次巻線４０が配置される一次収納部３４となっていて、一次巻線４０は、断面が円形状の絶縁電線４１が複数の一次収納部３４に跨るように、一次収納部の外周側から巻回されることで形成されている。このため、巻線機を用いて絶縁電線４１を巻回し易くなり、一次巻線４０を容易に形成することが可能となる。
【００４０】
加えて、本体３１のうち挿通孔３２から外側に向かい膨らむ部分は、二次収納部３３となっている。しかも、二次収納部３３は、その外周側が開口部分を除いて外周壁部３１ｃによって覆われていて、二次巻線５０は、平角線５１のエッジワイズ巻きにより形成されていて、二次巻線５０は開口部分から二次収納部３３に内挿されることで配置されている。このため、二次巻線５０を二次収納部３３に容易に配置することが可能となる。また、二次巻線５０の位置決めも容易に行える。また、二次巻線５０を形成するために平角線５１を用いているため、直流抵抗（ＤＣＲ）を低減することが可能となる。
【００４１】
さらに、本実施の形態では、ボビン３０には、絶縁電線４１を隣り合う一次収納部３４に巻回する際のガイドとなるガイド突起３５が設けられている。このため、巻線機を用いて絶縁電線４１を一次収納部３４に巻回させ、次に隣の一次収納部３４に絶縁電線４１を巻回させる場合、このガイド突起３５の外周に絶縁電線４１を位置させることができる。そして、ガイド突起３５の外周に沿って絶縁電線４１を曲げる（湾曲させる）ことにより、絶縁電線４１の位置ずれを防ぐことができ、隣の一次収納部３４に絶縁電線４１を移行させて、良好な巻線を行うことが可能となる。
【００４２】
また、本実施の形態では、ボビン３０の外周壁部３１ｃには、二次収納部３３に収納されている二次巻線５０を外部と挿通させるための開口部３６が設けられている。このため、二次巻線５０で発生した熱を開口部３６を介して外部に逃がすことが可能となる。特に、ボビン３０は、熱伝導率の低い樹脂によって形成されていて、二次収納部３３は、そのような樹脂製の壁部３１ａおよび外周壁部３１ｃによって覆われている。そのため、二次収納部３３は、熱がこもり易いが、上述したような開口部３６の存在により、外部に熱を逃がすことで、二次収納部３３内の二次巻線５０に温度上昇が生じるのを抑えることが可能となる。
【００４３】
さらに、本実施の形態では、トランス用ボビンには、コアが取り付けられる際の位置決めとして機能する台座部３７が設けられ、さらに上方位置決め部３８が設けられている。このため、これら台座部３７および上方位置決め部３８により、コア２０の位置決めがなされる。それにより、コア２０が下方側（Ｚ２側）に移動するのが台座部３７によって規制され、上方側（Ｚ１側）に移動するのが上方位置決め部３８によって規制される。それにより、ボビン３０に対するコア２０の取り付けを容易に行うことが可能となる。
【００４４】
＜変形例＞
以上、本発明の一実施の形態について説明したが、本発明はこれ以外にも種々変形可能となっている。以下、それについて述べる。
【００４５】
上述の実施の形態では、ボビン３０には、４つの二次収納部３３と３つの一次収納部３４とが一体的に設けられている場合について説明している。しかしながら、二次収納部３３と一次収納部３４の個数は、それぞれ１つ以上であれば幾つであっても良い。また、上述の実施の形態では、ボビン３０は、樹脂の射出成形によって形成されている場合について説明している。しかしながら、ボビン３０は、樹脂の射出成形以外の手法によって形成されても良い。たとえば、３Ｄプリンターを用いた積層造形法によって形成しても良く、粉末成形によって形成しても良く、切削によってボビン３０を形成しても良く、各パーツの溶着や接着によってボビン３０を形成しても良く、その他の各種の機械的な加工方法によって形成しても良い。
【００４６】
また、上述の実施の形態では、ボビン３０には、ガイド突起３５、台座部３７および上方位置決め部３８が設けられている。しかしながら、これらのうちの少なくとも１つが設けられていない構成を採用しても良い。
【００４７】
また、上述の実施の形態では、コア２０は、ＥＲコアとして説明されている。しかしながら、コア２０は、ＥＲコアには限られない。たとえば、Ｅコアを用いても良く、ＲＭコアを用いても良く、ＥＰコアを用いても良く、Ｕコアを用いても良く、ポットコアを用いても良く、ＥコアとＩコアの組み合わせを用いても良く、ＵコアとＩコアの組み合わせを用いても良く、その他、種々のコアを用いることが可能である。
【００４８】
また、上述の実施の形態では、一次巻線４０は断面が円形である絶縁電線４１を巻回することにより構成されている。しかしながら、一次巻線４０は、平角線やその他の各種の断面形状のワイヤを巻回して形成しても良い。また、上述の実施の形態では、二次巻線５０は、平角線５１を巻回することにより形成されている。しかしながら、二次巻線５０は、断面が円形の絶縁導線や、その他の各種の断面形状のワイヤを巻回して形成しても良い。
【００４９】
また、上述の実施の形態では、二次収納部３３の間に一次収納部３４が位置している。しかしながら、二次収納部３３同士の間に、一次収納部３４が位置しない部位が存在する構成を採用しても良い。同様に、本実施の形態では、一次収納部３４の間に二次収納部３３が位置しているが、一次収納部３４同士の間に、二次収納部３３が位置しない部位が存在する構成を採用しても良い。
【符号の説明】
【００５０】
１０…トランス、２０…コア、２１…底部、２１ａ…直線縁部、２１ｂ…凹状縁部、２２…周壁、２３…柱脚部、３０…ボビン（トランス用ボビンに対応）、３１…本体、３１ａ…壁部、３１ｂ…内周壁部、３１ｃ…外周壁部、３２…挿通孔、３３…二次収納部、３４…一次収納部、３５…ガイド突起、３６…開口部、３７…台座部、３８…上方位置決め部、３８ａ…貫通孔、４０…一次巻線、４１…絶縁電線、５０…二次巻線、５１…平角線、５２…端末
【図１】
2014229807.tif 000003
【図２】
2014229807.tif 000004
【図３】
2014229807.tif 000005
【図４】
2014229807.tif 000006
【図５】
2014229807.tif 000007